(57)【要約】【課題】一時的な撮影情報で撮影を行った後に容易に撮影情報を修正することができるようにする。【解決手段】撮影に関する一時的な撮影情報で撮影を行った後に前記撮影情報を修正する撮影情報処理装置であって、操作者による操作に応じて前記撮影情報の修正を行うか否かを判定する撮影情報修正判定手段と、患者を透過するエックス線を検出して撮影された画像データを取得する画像データ取得手段と、前記撮影情報修正判定手段により前記撮影情報の修正を行うことが判定された場合、前記患者の患者情報に基づいて前記一時的な撮影情報を修正する撮影情報修正手段と、前記撮影情報修正手段により前記一時的な撮影情報が修正されるまで前記画像データ取得手段により取得された画像データの出力を制限する画像データ出力手段とを有することを特徴とする。【選択図】図３
2010257210.tif 000002
【特許請求の範囲】
【請求項１】
撮影に関する一時的な撮影情報で撮影を行った後に前記撮影情報を修正する撮影情報処理装置であって、
操作者による操作に応じて前記撮影情報の修正を行うか否かを判定する撮影情報修正判定手段と、
患者を透過するエックス線を検出して撮影された画像データを取得する画像データ取得手段と、
前記撮影情報修正判定手段により前記撮影情報の修正を行うことが判定された場合、前記患者の患者情報に基づいて前記一時的な撮影情報を修正する撮影情報修正手段と、
前記撮影情報修正手段により前記一時的な撮影情報が修正されるまで前記画像データ取得手段により取得された画像データの出力を制限する画像データ出力手段とを有することを特徴とする撮影情報処理装置。
【請求項２】
前記患者に対応する検査依頼情報を取得する検査依頼情報取得手段を更に有し、
前記撮影情報修正手段は、前記検査依頼情報取得手段により取得された検査依頼情報に含まれる患者情報に基づいて前記一時的な撮影情報を修正することを特徴とする請求項１に記載の撮影情報処理装置。
【請求項３】
前記患者に対応する検索条件に基づいて検査依頼情報を検索する検査依頼情報検索手段と、
前記検査依頼情報検索手段により検索された検査依頼情報を表示する検査依頼情報表示処理手段と、
前記検査依頼情報表示処理手段により表示された検査依頼情報のうち操作者により選択された検査依頼情報を検出する検査依頼情報選択検出手段とを更に有し、
前記撮影情報修正手段は、前記検査依頼情報選択検出手段により検出された検査依頼情報に含まれる患者情報に基づいて前記一時的な撮影情報を修正することを特徴とする請求項１又は２に記載の撮影情報処理装置。
【請求項４】
前記一時的な撮影情報及び前記一時的な撮影情報に属する付加的情報のうち少なくとも何れかの情報に基づいて検索条件を生成する検索条件生成手段を更に有し、
前記検査依頼情報検索手段は、前記検索条件生成手段により生成された検索条件に基づいて検査依頼情報を検索することを特徴とする請求項３に記載の撮影情報処理装置。
【請求項５】
操作者により入力された検索条件を取得する検索条件取得手段を更に有し、
前記検査依頼情報検索手段は、前記検索条件取得手段により取得された検索条件に基づいて検査依頼情報を検索することを特徴とする請求項３に記載の撮影情報処理装置。
【請求項６】
前記検査依頼情報に含まれる検査単位に対して前記画像データ取得手段により取得された画像データを関連付ける関連付決定手段を更に有することを特徴とする請求項２乃至５の何れか１項に記載の撮影情報処理装置。
【請求項７】
前記検査依頼情報に含まれる検査単位情報と前記画像データ取得手段により取得された画像データとを表示する表示処理手段と、
前記表示処理手段により表示された検査単位情報と画像データとの操作者による関連付けの選択を検出する関連付選択検出手段とを更に有し、
前記関連付決定手段は、前記関連付選択検出手段により検出された関連付けの選択に基づいて前記検査依頼情報に含まれる検査単位に対して前記画像データ取得手段により取得された画像データを関連付けることを特徴とする請求項６に記載の撮影情報処理装置。
【請求項８】
前記検査依頼情報を表示するか否かの設定を検出する設定検出手段を更に有し、
前記検査依頼情報表示処理手段は、前記設定検出手段により検出された設定に基づいて、前記検査依頼情報を表示するタイミングを変更することを特徴とする請求項３乃至７の何れか１項に記載の撮影情報処理装置。
【請求項９】
前記検査依頼情報検索手段は、前記患者に対応する検査依頼情報がない場合、過去の検査依頼情報を検出し、
前記撮影情報修正手段は、前記検査依頼情報検索手段により検出された過去の検査依頼情報に基づいて前記一時的な撮影情報を修正することを特徴とする請求項３乃至８の何れか１項に記載の撮影情報処理装置。
【請求項１０】
撮影に関する一時的な撮影情報で撮影を行った後に前記撮影情報を修正する撮影情報処理方法であって、
撮影情報処理装置が、
操作者による操作に応じて前記撮影情報の修正を行うか否かを判定する撮影情報修正判定ステップと、
患者を透過するエックス線を検出して撮影された画像データを取得する画像データ取得ステップと、
前記撮影情報修正判定ステップにより前記撮影情報の修正を行うことが判定された場合、前記患者の患者情報に基づいて前記一時的な撮影情報を修正する撮影情報修正ステップと、
前記撮影情報修正ステップにより前記一時的な撮影情報が修正されるまで前記画像データ取得ステップにより取得された画像データの出力を制限する画像データ出力ステップとを有することを特徴とする撮影情報処理方法。
【請求項１１】
撮影に関する一時的な撮影情報で撮影を行った後に前記撮影情報を修正するコンピュータに、
操作者による操作に応じて前記撮影情報の修正を行うか否かを判定する撮影情報修正判定ステップと、
患者を透過するエックス線を検出して撮影された画像データを取得する画像データ取得ステップと、
前記撮影情報修正判定ステップにより前記撮影情報の修正を行うことが判定された場合、前記患者の患者情報に基づいて前記一時的な撮影情報を修正する撮影情報修正ステップと、
前記撮影情報修正ステップにより前記一時的な撮影情報が修正されるまで前記画像データ取得ステップにより取得された画像データの出力を制限する画像データ出力ステップとを実行させるためのプログラム。
【発明の詳細な説明】
【技術分野】
【０００１】
本発明は、医療用エックス線画像等を撮影するときに用いられる撮影情報を処理する撮影情報処理装置、撮影情報処理方法及びプログラムに関する。
【背景技術】
【０００２】
近年、医用分野では情報化が推進されており、例えば、ＨＩＳ（Hospital  Information  System）やＲＩＳ(Radiological  Information  System)と呼ばれる医用情報管理システムが利用されている。また、モダリティとしての画像取得装置等もデジタル化が進んでおり、ＨＩＳやＲＩＳの医用情報管理システムから受信した検査依頼情報に基づいて撮影を行うことが一般的である。
【先行技術文献】
【特許文献】
【０００３】
【特許文献１】特開２００２−２１５８０９号公報
【発明の概要】
【発明が解決しようとする課題】
【０００４】
一般的に、モダリティは、ＲＩＳから検査依頼情報を受け取った後、撮影を行い、取得した画像データをＰＡＣＳ（Picture  Archiving  and  Communication  Systems）と呼ばれる画像保存サーバへ出力する。この検査依頼情報には患者ＩＤや患者名等の患者情報をはじめとして、撮影を行う手技等といった撮影情報が含まれる。また、緊急に搬送された重症の患者を撮影する際には、撮影前にあらかじめ患者名を知ることは困難である。したがって、ＲＩＳでは一時的にダミーの撮影情報で検査依頼情報を作成し、モダリティは検査依頼情報に基づき撮影を行う。このようなケースでは撮影を行った後に、ＲＩＳで正しい撮影情報に修正する処理を行う。
【０００５】
一方、施設によっては検査依頼情報を受け取る前に、モダリティで先に撮影を行い、撮影後に検査依頼情報を受け取り、撮影情報を修正することが行われる。このような処理は、通常のワークフローではなく、操作者の手作業が多く効率的であるとはいえない。更に、モダリティでマニュアルによる撮影を行うため、通常の撮影と区別されておらず、本来、撮影後に撮影情報を修正してから出力しなければならない画像データをダミーの撮影情報のまま出力してしまうという問題がある。
【０００６】
本発明は、このような問題点に鑑みてされたものであり、一時的な撮影情報で撮影を行った後に容易に撮影情報を修正することができるようにし、撮影情報を修正した後でなければ画像データを出力することができないようにする。
【課題を解決するための手段】
【０００７】
本発明は、撮影に関する一時的な撮影情報で撮影を行った後に前記撮影情報を修正する撮影情報処理装置であって、操作者による操作に応じて前記撮影情報の修正を行うか否かを判定する撮影情報修正判定手段と、患者を透過するエックス線を検出して撮影された画像データを取得する画像データ取得手段と、前記撮影情報修正判定手段により前記撮影情報の修正を行うことが判定された場合、前記患者の患者情報に基づいて前記一時的な撮影情報を修正する撮影情報修正手段と、前記撮影情報修正手段により前記一時的な撮影情報が修正されるまで前記画像データ取得手段により取得された画像データの出力を制限する画像データ出力手段とを有することを特徴とする。
本発明は、撮影に関する一時的な撮影情報で撮影を行った後に前記撮影情報を修正する撮影情報処理方法であって、撮影情報処理装置が、操作者による操作に応じて前記撮影情報の修正を行うか否かを判定する撮影情報修正判定ステップと、患者を透過するエックス線を検出して撮影された画像データを取得する画像データ取得ステップと、前記撮影情報修正判定ステップにより前記撮影情報の修正を行うことが判定された場合、前記患者の患者情報に基づいて前記一時的な撮影情報を修正する撮影情報修正ステップと、前記撮影情報修正ステップにより前記一時的な撮影情報が修正されるまで前記画像データ取得ステップにより取得された画像データの出力を制限する画像データ出力ステップとを有することを特徴とする。
本発明は、撮影に関する一時的な撮影情報で撮影を行った後に前記撮影情報を修正するコンピュータに、操作者による操作に応じて前記撮影情報の修正を行うか否かを判定する撮影情報修正判定ステップと、患者を透過するエックス線を検出して撮影された画像データを取得する画像データ取得ステップと、前記撮影情報修正判定ステップにより前記撮影情報の修正を行うことが判定された場合、前記患者の患者情報に基づいて前記一時的な撮影情報を修正する撮影情報修正ステップと、前記撮影情報修正ステップにより前記一時的な撮影情報が修正されるまで前記画像データ取得ステップにより取得された画像データの出力を制限する画像データ出力ステップとを実行させるためのプログラムである。
【発明の効果】
【０００８】
本発明によれば、一時的な撮影情報で撮影を行った後に容易に撮影情報を修正することができ、撮影情報を修正した後でなければ画像データを出力することができないようにして、誤って画像データが出力されることを防止することができる。
【図面の簡単な説明】
【０００９】
【図１】撮影情報処理システムのハードウェア構成図の一例を示す図である。
【図２】撮影情報処理装置の機能構成の一例を示す図である。
【図３】撮影情報処理装置の動作処理の一例を示すフローチャートである。
【図４】撮影情報入力時のＧＵＩの一例を示す図である。
【図５】撮影画面のＧＵＩの一例を示す図である。
【図６】撮影情報修正時の撮影情報修正画面のＧＵＩの一例を示す図である。
【図７】情報修正処理の一例を示すフローチャートである。
【図８】出力処理の一例を示すフローチャートである。
【図９】第２の実施形態に係る撮影の画像データをＳｔｕｄｙと関連付ける指示するためのＧＵＩの一例を示す図である。
【図１０】第３の実施形態に係る撮影情報処理装置の動作処理の一例を示すフローチャートである。
【図１１】第３の実施形態に係る過去撮影検査表示画面の一例を示す図である。
【発明を実施するための形態】
【００１０】
以下、本発明に係る実施形態について図面を参照して説明する。なお、以下の実施形態は発明を限定するものでなく、本実施形態で説明されている特徴の組み合わせの全てが発明の解決手段に必須のものとは限らない。
（第１の実施形態）
図１は、本実施形態に係る撮影情報処理システムのハードウェア構成図の一例を示す図である。図１に示すように撮影情報処理システム１０は、撮影情報処理装置２０、放射線発生装置３０、放射線情報システム１００、医用画像管理システム１０６を含んで構成されている。
【００１１】
撮影情報処理装置２０は、情報処理部１０１、表示部１０４、入力部１０５を含んで構成されている。また、情報処理部１０１は、ＲＡＭ１０１０、ＲＯＭ１０１１、ＬＡＮ／ＩＦ１０１２、ＤＩＳＫ／ＩＦ１０１３、ＣＰＵ１０１４、ハードディスク等の不揮発性記憶装置１０１５が、システムバス１０１６によって互いに接続されて構成されている。このように情報処理部１０１は、一般的なコンピュータ構成を備えている。情報処理部１０１は、画像データや画像に付随する属性情報をデータベース等を用いて管理する。また、表示部１０４は、ＣＲＴや液晶ディスプレイ等の一般的なモニタによって構成されている。表示部１０４には、画像データやＧＵＩ（グラフィカルユーザインタフェース）等が画面に表示される。また、入力部１０５は、マウス、キーボード、バーコード等の入力装置によって構成されている。操作者は、入力部１０５を用いて、情報処理部１０１に対して各種コマンドやデータを入力することができる。
【００１２】
放射線発生装置３０は、エックス線発生部１０３、センサ部１０２を含んで構成されている。エックス線発生部１０３は、エックス線を患者に対して照射する。センサ部１０２は、患者を透過したエックス線を受光して画像化するフラットパネルディテクターである。放射線発生装置３０では、画像データを取得すると情報処理部１０１に転送する。なお、放射線発生装置３０は、撮影情報処理装置２０と一体にして、放射線撮影装置として構成してもよい。
放射線情報システム１００は、検査依頼情報の入力を行う、いわゆるＲＩＳである。放射線情報システム１００は、撮影情報処理装置２０に接続されている。医用画像管理システム１０６は、画像データを管理する医用画像サーバ、いわゆるＰＡＣＳである。医用画像管理システム１０６は、撮影情報処理装置２０から転送される医用画像データを蓄積、管理する。
【００１３】
なお、撮影情報処理システム１０において、撮影情報処理装置２０と、放射線発生装置３０と、放射線情報システム１００と、医用画像管理システム１０６との接続形態については有線、無線を問わない。また、どのような通信プロトコルを使用してもよく、データのやり取りができる方法であればどのような形態であってもかまわない。
【００１４】
次に、本実施形態における撮影情報処理装置の機能構成について説明する。図２は、撮影情報処理装置２０の機能構成の一例を示す図である。撮影情報処理装置２０の機能構成として、撮影情報入力部２００、制御部２０１、検査依頼情報取得部２０２、画像取得部２０３、患者情報修正部２０４、出力制御部２０５、画像保存部２０６を含んで構成されている。これら機能構成は、撮影情報処理装置２０のＣＰＵ１０１４が、ＲＯＭ１０１１或いは不揮発性記憶装置１０１５に格納されているプログラムを実行することにより実現される。
【００１５】
撮影情報入力部２００は、操作者が入力部１０５を介して入力された内容を判断する。特に、撮影情報入力部２００は、操作者が入力部１０５を介して入力に基づいて、撮影終了後に、撮影に関する一時的なダミーの撮影情報を正しい撮影情報に修正するか否かを判定する。
制御部２０１は、操作者の入力部１０５を介した入力に基づいて、撮影情報処理装置２０全体を制御する。また、制御部２０１は、放射線発生装置３０のセンサ部１０２に対して駆動コマンドを通信したり、医用画像管理システム１０６に対して検査依頼情報（オーダ）の検索をしたり、撮影全般に関わる制御を行う。
検査依頼情報取得部２０２は、制御部２０１の指示に基づき、医用画像管理システム１０６から検査依頼情報を取得する。一般的に、検査依頼情報の取得は、ＤＩＣＯＭ（Digital  Imaging  and  COmmunication  in  Medicine）と呼ばれる医用画像と通信との標準規格で定義されているモダリティワークリストを取得することで実施されている。
【００１６】
画像取得部２０３は、制御部２０１の指示に基づき、画像データを取得する。より具体的に説明すると、画像取得部２０３は、操作者から照射開始指示が通知されると、放射線発生装置３０のエックス線発生部１０３にエックス線を照射するように指示する。そして、画像取得部２０３は、患者を透過したエックス線を放射線発生装置３０のセンサ部１０２が受光した画像データを受信することで、画像データを取得する。
画像保存部２０６は、画像取得部２０３において取得された画像データをデータベース等によって管理し、不揮発性記憶装置１０１５等のハードディスク等に保存する。
【００１７】
患者情報修正部２０４は、一時的なダミーの撮影情報で撮影が行われた後、この撮影情報を検査依頼情報取得部２０２により取得された検査依頼情報に基づいて、修正する。
出力制御部２０５は、撮影された画像データの出力を制御する。より具体的に説明すると、出力制御部２０５は、撮影情報入力部２００によって撮影情報の修正を行う必要があると判定されている場合、患者情報修正部２０４により、撮影情報の修正が行われるまで、外部に画像データを出力しないように制御する。
【００１８】
次に、本実施形態に係る撮影情報処理装置の動作処理について説明する。図３は、撮影情報処理装置２０の動作処理の一例を示すフローチャートである。図３に示すフローチャートは、撮影開始から画像データの出力までの概略を示し、各動作処理の詳細なフローチャートは、図７及び図８で後述する。図３に示すフローチャートは、撮影情報処理装置２０のＣＰＵ１０１４が、ＲＯＭ１０１１或いは不揮発性記憶装置１０１５に格納されているプログラムを実行することにより実現される。
【００１９】
まず、ステップＳ３００において、撮影情報入力部２００は、操作者の入力部１０５を介した撮影情報の入力を待機する。すなわち、検査に先立ち操作者は、撮影情報を入力する。撮影情報とは、患者の名前、ＩＤ、生年月日、性別等の患者情報や、撮影を行う手技等の情報を含むものである。
ここで、通常であれば、操作者は、全ての撮影情報を入力した後、撮影に移るが、例えば緊急に搬送されてきた等の理由で、患者情報等の撮影情報の一部が不明の場合がある。このような場合、操作者は入力部１０５を介してダミーの撮影情報を入力すると共に、撮影後に撮影情報を修正する修正指示を入力することができる。なお、撮影情報の入力方法には、検査依頼情報取得部２０２が、放射線情報システム１００に検査依頼情報を要求し、検査依頼情報リストのうち該当する検査依頼情報を選択することにより、入力する方法がある。また、操作者が、マニュアルで患者の名前、ＩＤ等を入力する方法がある。
【００２０】
次に、ステップＳ３０１において、撮影情報入力部２００は、撮影終了後に撮影情報を修正する修正指示があるか否かを判定する。この処理は、撮影情報修正判定手段による処理の一例に対応する。修正指示がある場合、撮影情報入力部２００は、ステップＳ３０２に処理を進める。一方、修正指示がない場合、撮影情報入力部２００は、ステップＳ３０３に処理を進める。
【００２１】
ステップＳ３０２において、制御部２０１は、これから行う撮影が終了した後に、撮影情報を修正する必要があることを記憶する。より具体的に説明すると、制御部２０１は、要修正フラグをＯＮに設定する処理を行う。その後、制御部２０１は、ステップＳ３０３に処理を進める。
ステップＳ３０３において、画像取得部２０３は、制御部２０１の指示に基づいて、画像データを取得する。この処理は、画像データ取得手段による処理の一例に対応する。なお、放射線発生装置３０によりエックス線を患者に対して放射し、患者を透過したエックス線信号を検出して画像化する手順は通常の方法で行う。より具体的に説明すると、操作者がエックス線照射ボタンを押したり、エックス線照射ペダルを踏んだりすることに応じて、画像取得部２０３は、放射線発生装置３０に対してエックス線の照射開始の指示をする。放射線発生装置３０のエックス線発生部１０３は、エックス線を患者に対して照射する。そして、放射線発生装置３０のセンサ部１０２は、患者を透過したエックス線を受光して画像データを生成する。画像取得部２０３は、生成された画像データを取得する。
【００２２】
次に、ステップＳ３０４において、撮影情報入力部２００は、操作者の入力部１０５を介した撮影終了の入力を待機する。撮影終了を検出した場合、撮影情報入力部２００は、ステップＳ３０５に処理を進める。一方、撮影終了を検出しない場合、撮影情報入力部２００は、ステップＳ３０３に処理を戻し、画像取得部２０３は、継続して画像データを取得する。
【００２３】
ステップＳ３０５において、制御部２０１は、撮影終了後に撮影情報を修正する必要があるか否かを判定する。より具体的に説明すると、制御部２０１は、ステップＳ３０２において、要修正フラグがＯＮであるか否かを判定する。ここで、要修正フラグがＯＮの場合、制御部２０１は、ステップＳ３０６に処理を進める。一方、要修正フラグがＯＮではない場合、制御部２０１は、ステップ３０７に処理を進める。
【００２４】
ステップＳ３０６において、患者情報修正部２０４は、一時的なダミーの撮影情報を修正する。例えば、撮影情報のうち、患者の名前等の患者情報を修正する。この処理は、撮影情報修正手段による処理の一例に対応する。なお、詳細な処理について図７に示すフローチャートで説明する。
ステップＳ３０７において、出力制御部２０５は、例えば、医用画像管理システム１０６に画像データを転送、すなわち出力する。ここで、出力制御部２０５は、一時的な撮影情報で撮影された画像データについては、修正が行われたことを条件として画像データを出力する。すなわち、出力制御部２０５は、一時的な撮影情報が修正されるまで画像データの出力を制限する。この処理は、画像データ出力手段による処理の一例に対応する。
【００２５】
次に、上述した図３に示すフローチャートの動作処理に対応して、撮影情報処理装置２０が表示部１０４に表示するＧＵＩについて、図４、図５及び図６を参照して、説明する。図４、図５及び図６に示すＧＵＩは、制御部２０１がＲＯＭ１０１１或いは不揮発性記憶装置１０１５に格納されているプログラムを実行することにより表示される。
【００２６】
図４は、図３に示すフローチャートのステップＳ３００に対応する撮影情報入力時のＧＵＩの一例を示す図である。
図４において、４００は、撮影に先立ち操作者が、各種情報を入力するための撮影準備画面である。４０１は、修正指示ボタンである。これから撮影する患者について一時的なダミーの撮影情報で撮影を行い、撮影終了後に撮影情報を修正する指示をする場合、操作者は、この修正指示ボタン４０１をマウスでクリックする等して入力する。すると、撮影情報入力部２００は、撮影終了後に撮影情報を修正する修正指示が行われたと判定する。
【００２７】
また、４０２は、患者情報入力領域である。患者情報入力領域４０２には、これから撮影する患者の名前、ＩＤ、生年月日、性別等の患者情報を入力する欄がある。なお、撮影情報入力部２００が、操作者による修正指示ボタン４０１のクリックを検出すると、ダミーの患者の名前、ＩＤ等の患者情報を入力する。
４０３は、これから撮影する撮影条件を入力する撮影条件入力領域である。撮影条件入力領域４０３には、撮影する部位、使用するセンサ、センサの方向等を選択して入力できる入力ボタンが配置されている。
【００２８】
また、４０４は、これから行う撮影の詳細情報が表示される表示領域である。撮影情報入力部２００が、撮影条件入力領域４０３で選択された撮影条件に基づいて、表示領域４０４に撮影の詳細情報を随時、追加する。
４０５は、撮影開始の準備が完了したことを通知する完了ボタンである。操作者が完了ボタン４０５をクリックすると、制御部２０１は、入力された撮影情報に基づいて撮影が行われるように、放射線発生装置３０を制御すると共に、表示部１０４には、図５に示す撮影画面を表示する。
【００２９】
図５は、撮影画面のＧＵＩの一例を示す図である。
図５において、５００は、撮影中に表示される撮影画面である。
５０１は、患者情報表示領域である。制御部２０１は、患者情報表示領域５０１には、現在撮影している画像データにおける患者情報を表示する。図５に示す患者情報表示領域５０１には、ダミーの患者情報が表示されている。
【００３０】
５０２は、撮影した画像データの一覧を表示する一覧表示領域である。制御部２０１は、画像取得部２０３が取得した画像データを一覧表示領域５０２に表示する。
５０３は、画像表示領域である。制御部２０１は、画像取得部２０３が取得した画像データを画像表示領域５０３に表示する。
５０４は、検査終了ボタンである。操作者は、全ての撮影が終了し検査を終了したい場合に、検査終了ボタン５０４をクリックする。
【００３１】
図６は、図３に示すフローチャートのステップＳ３０６に対応する撮影情報修正時の撮影情報修正画面のＧＵＩの一例を示す図である。なお、図６に示す撮影情報修正画面は、図４に示す修正指示ボタン４０１が選択されていて、図５に示す検査終了ボタン５０４をクリックした直後に表示される。
図６において、６００は、撮影情報を修正する撮影情報修正画面である。
６０１は、放射線情報システム１００に記憶されている検査依頼情報の検索条件を入力する検索条件入力領域である。操作者は、検索条件入力領域６０１に検索条件を入力することができる。なお、検索条件には、患者の名前、ＩＤ、生年月日、性別等の患者情報に加えて、検査日（撮影日）、検査時刻（撮影時刻）、モダリティ等の撮影情報に属する付加的情報も含まれる。
【００３２】
６０２は、検査依頼情報の取得開始を指示するための検索開始ボタンである。操作者は、検索条件入力領域６０１に検索条件を入力した状態で、検索開始ボタン６０２をクリックする。撮影情報入力部２００は、操作者により入力された検索条件を取得する。この処理は検索条件取得手段による処理の一例に対応する。検査依頼情報取得部２０２は、検索条件に合致する検査依頼情報を取得する。
６０３は、取得した検査依頼情報の一覧を表示する検査依頼情報表示領域である。ここでは、検査依頼情報には、図６に示すような患者の名前、患者ＩＤ、生年月日、性別等の患者情報が含まれている。操作者は、検査依頼情報表示領域６０３に表示された検査依頼情報のうち、撮影情報の修正に使用する検査依頼情報を選択し、ＯＫボタン６０５をクリックする。患者情報修正部２０４は、選択された検査依頼情報に基づいて、患者情報を含む撮影情報を修正する。
【００３３】
６０４は、検査依頼情報の取得を行わずに撮影情報修正画面６００を閉じるためのＣａｎｃｅｌボタンである。操作者は、Ｃａｎｃｅｌボタン６０４をクリックすると、患者情報修正部２０４は、患者情報を修正せずに、一時的なダミーの撮影情報のままデータを記憶する。なお、検査依頼情報の取得は、操作者が検索開始ボタン６０２をクリックすることによりはじめて行われるのではなく、図５において検査終了ボタン５０４がクリックされたときに、予め設定された検索条件に基づき自動的に検索することが好ましい。すなわち、図６に示す撮影情報修正画面６００が初めて表示される段階で既に検査依頼情報表示領域６０３に検査依頼情報が表示されていることが望ましい。この自動的に検索する処理は、後述するフローチャートで説明する。
【００３４】
次に、本実施形態に係る撮影情報処理装置の情報修正処理について説明する。図７は、撮影情報処理装置２０の情報修正処理の一例を示すフローチャートである。図７に示すフローチャートは、図３に示すフローチャートのステップＳ３０６の詳細な処理である。図７に示すフローチャートは、撮影情報処理装置２０のＣＰＵ１０１４が、ＲＯＭ１０１１或いは不揮発性記憶装置１０１５に格納されているプログラムを実行することにより実現される。
【００３５】
まず、ステップＳ７００において、検査依頼情報取得部２０２は、撮影が行われた撮影情報及びこの撮影情報に属する付加的情報に基づいて、検査依頼情報を検索するための検索条件を生成する。この処理は、検索条件生成手段による処理の一例に対応する。付加的情報は、例えば、検査日（撮影日）、検査時刻（撮影時刻）、モダリティ等の情報である。また、付加的情報には、撮影終了後に撮影情報を修正する修正指示をすることを示す指示情報等が含まれていてもよい。この場合、放射線情報システム１００では、検査依頼情報を作成するときに、修正指示を示すフラグを設定して検査依頼情報を作成することで、検査依頼情報取得部２０２は、対応する検査依頼情報を検索できる。
なお、図６に示したように、操作者がマニュアルで検索条件入力領域６０１に入力した検索条件に基づいて、検索条件を決定してもよい。
【００３６】
ステップＳ７０１において、検査依頼情報取得部２０２は、決定した検索条件に基づいて、放射線情報システム１００で作成した検査依頼情報を検索する。この処理は、検査依頼情報検索手段による処理の一例に対応する。
ステップＳ７０２において、検査依頼情報取得部２０２は、検索条件に合致する検査依頼情報を取得する。この処理は、検査依頼情報取得手段による処理の一例に対応する。制御部２０１は、検査依頼情報取得部２０２が取得した検査依頼情報を、図６に示すように検査依頼情報表示領域６０３に一覧表示する。この処理は、検査依頼情報表示処理手段による処理の一例に対応する。
【００３７】
ステップＳ７０３において、撮影情報入力部２００は、操作者による入力部１０５を介した検査依頼情報の選択を待機する。操作者は、表示された検査依頼情報を確認して、一時的なダミーの撮影情報で撮影をした検査依頼情報に対応する検査依頼情報を選択する。撮影情報入力部２００が、何れかの検査依頼情報の選択を検出した場合、ステップＳ７０４に処理を進め、何れの検査依頼情報の選択を検出しない場合、撮影情報入力部２００は、撮影情報の修正する処理を終了する。この処理は、検査依頼情報選択検出手段による処理の一例に対応する。
【００３８】
ステップＳ７０４において、患者情報修正部２０４は、選択された検査依頼情報に基づいて、患者情報を取得する。そして、患者情報修正部２０４は、取得した患者情報に基づいて、一時的なダミーの撮影情報を正しい撮影情報に修正する処理を行う。
ステップＳ７０５において、患者情報修正部２０４は、撮影情報の修正が完了したこと制御部２０１に通知するために、修正完了フラグをＯＮに設定して、情報修正ステップを完了する。
【００３９】
次に、本実施形態に係る撮影情報処理装置の出力処理について説明する。図８は、撮影情報処理装置２０の出力処理の一例を示すフローチャートである。図８に示すフローチャートは、図３に示すステップＳ３０７の詳細な処理である。
まず、ステップＳ８００において、出力制御部２０５は、出力対象の画像データの撮影が撮影終了後に撮影情報の修正が必要であったか否かを判定する。この判定は、出力制御部２０５が、図３に示すフローチャートのステップＳ３０２において記憶した要修正フラグがＯＮに設定されているか否かを判定することで可能である。出力制御部２０５は、修正が必要な撮影であった場合、ステップＳ８０１に処理を進め、修正が必要ではない撮影だった場合、ステップＳ８０２に処理を進める。
【００４０】
ステップＳ８０１において、出力制御部２０５は、撮影情報が修正されているか否かを判定する。この判定は、出力制御部２０５が、図７に示すフローチャートのステップＳ７０５において修正完了フラグをＯＮに設定されているか否かを判定することで可能である。撮影情報が修正されていると判定した場合、出力制御部２０５は、ステップＳ８０２に処理を進める。一方、撮影情報が修正されていないと判定した場合、出力制御部２０５は、画像データの出力を行わないで、出力処理を終了する。
ステップＳ８０２において、出力制御部２０５は、画像データを医用画像管理システム１０６やプリンタ等に出力する処理を行う。なお、画像データを医用画像管理システム１０６に出力する場合、出力制御部２０５は、画像データに修正した撮影情報や検査依頼情報を関連付けて出力する。
【００４１】
このように、本実施形態によれば、操作者が予め撮影終了後に撮影情報の修正が必要であることを指示した上で撮影を行うことで、撮影情報処理装置は、撮影後に正しい撮影情報に修正する。また、撮影情報処理装置は、撮影情報が修正されるまで画像データを出力しないように制御するので、操作者が修正していない一時的な撮影情報に対応する画像データを誤って出力してしまうことを防止することができる。更に、撮影情報を修正するとき、撮影情報処理装置は撮影終了後に自動的に適切な検索条件で検査依頼情報を取得するため、操作者が検査依頼情報を取得する指示を行うことが不要となり操作性が向上する。
【００４２】
（第２の実施形態）
一時的なダミーの撮影情報を修正するときに使用される検査依頼情報には、様々な情報が含まれている。例えば、ＤＩＣＯＭのＳｔｕｄｙを特定するためのＩＤや受付番号等が含まれている。ここで、Ｓｔｕｄｙとは、検査依頼における検査単位をいう。一つの検査依頼に対して、複数の検査単位（Ｓｔｕｄｙ）が含まれていることがある。図７に示すフローチャートのステップＳ７０１において取得した検査依頼情報に複数のＳｔｕｄｙが含まれている場合、撮影情報処理装置２０は、既に実施した撮影と検査依頼情報のＳｔｕｄｙとの関連を自動的に決定することができない。
したがって、操作者は、どの撮影の画像データがどのＳｔｕｄｙに属するものであるかを指示する必要がある。本実施形態では、操作者が撮影した画像データとＳｔｕｄｙとを関連付ける操作を容易に行うことができる。
【００４３】
図９は、第１の実施形態で行った撮影の画像データをＳｔｕｄｙと関連付ける指示をするためのＧＵＩの一例を示す図である。図９に示すＧＵＩは、制御部２０１がＲＯＭ１０１１或いは不揮発性記憶装置１０１５に格納されているプログラムを実行することにより表示される。
図９において、９００は、行った撮影の撮影情報の修正をマニュアルで行うときの付替画面である。９０１は、既に行った撮影データの一覧を表示する実施撮影表示領域である。９０２は、図７に示すステップＳ７０３で選択された検査依頼情報を表示する検査依頼情報表示領域である。検査依頼情報表示領域９０２には、検査単位情報としてＳｔｕｄｙのＩＤが表示されている。９０３は、取得された画像データを縮小化したアイコンである。９０４は、検査依頼情報のＳｔｕｄｙのＩＤに対応するＳｔｕｄｙボックスである。
【００４４】
操作者は、アイコン９０３をＳｔｕｄｙボックス９０４にマウスを用いてドラッグアンドドロップ等をして撮影した画像データを対応する検査依頼情報の各Ｓｔｕｄｙに振り分け、関連付けの選択作業を行う。全ての振り分けが完了し、操作者がＯＫボタン９０５をクリックすると、制御部２０１は、撮影データとＳｔｕｄｙとの関連付けの選択を検出する。この処理は、関連付選択検出手段による処理の一例に対応する。また、制御部２０１は、この関連付けの選択を検出すると、撮影データとＳｔｕｄｙとを関連付ける付け替え処理を行う。この処理は、関連付決定手段による処理の一例に対応する。
９０６は、キャンセルボタンである。操作者は、画像データとＳｔｕｄｙとの関連付けを行わない場合、キャンセルボタン９０６をクリックすると、制御部２０１は、付替画面９００を閉じる。
【００４５】
このように、本実施形態によれば、取得した検査依頼情報の内容に複数のＳｔｕｄｙが含まれている場合において、操作者は、撮影した後に、マニュアルで画像データを振り分ける処理をＧＵＩにより行うことができる。したがって、容易に画像データとＳｔｕｄｙとの関連付けを行うことが可能である。
なお、本実施形態では、操作者が検査依頼情報に含まれる複数のＳｔｕｄｙのうち対応するＳｔｕｄｙに画像データをマニュアルで振り分ける場合について説明したが、この場合に限られない。画像データの振り分けは自動的に行われるように構成してもよい。この場合、例えば制御部２０１が、検査依頼情報に基づいて画像データをＳｔｕｄｙに振り分ける。このようにすることで、操作性をより向上させることができる。
【００４６】
（第３の実施形態）
第１の実施形態では、図３に示すフローチャートのステップＳ３０６において、図６の検査依頼情報表示領域６０３を表示する場合について説明した。しかしながら、規模の小さい施設では撮影情報及び検査依頼情報の入力を一人で行う場合がある。この場合、撮影が終了した後に検査依頼情報を入力するため、撮影終了時に検査依頼情報の取得を行ったとしても対応する検査依頼情報が存在しない。そこで、本実施形態では、過去に撮影したときの検査依頼情報に基づいて、一時的なダミーの撮影情報を修正する。また、撮影直後に撮影情報を修正するか否かを設定することで、検査依頼情報の表示するタイミングを変更することができる。
【００４７】
図１０は、本実施形態に係る撮影情報処理装置２０の動作処理の一例を示すフローチャートである。図１０に示すフローチャートは、図３に示すフローチャートのステップＳ３０４とステップＳ３０５との間にステップＳ１００１の処理を追加したものである。また、図１０に示すフローチャートは、図３に示すフローチャートのステップＳ３０６をステップＳ１００２に変更したものである。以下では、ステップＳ１００１及びステップＳ１００２の処理についてのみ説明し、他のステップの処理についての説明は割愛する。
【００４８】
ここで、撮影後に撮影情報の修正する場合は、操作者は予め入力部１０５を介して撮影直後修正フラグをＯＮに設定しておくものとする。このとき、撮影情報入力部２００は、撮影直後修正フラグのＯＮの設定を検出する。この処理は、設定検出手段による処理の一例に対応する。
なお、後述するように、撮影直後修正フラグがＯＮに設定されることで、検査依頼情報が表示され、撮影直後修正フラグが設定されないことで、検査依頼情報を表示されない。したがって、撮影直後修正フラグの設定は、検査依頼情報の表示を変更する設定も兼ねている。
【００４９】
ステップＳ１００１では、制御部２０１は、撮影終了後に撮影情報の修正を行うか否かを判定する。より具体的に説明すると、制御部２０１は、検査直後修正フラグがＯＮに設定されているか否かを判定する。撮影終了直後に撮影情報の修正を行う設定されている場合、制御部２０１は、ステップＳ３０５に処理を進める。一方、撮影終了直後に撮影情報の修正を行う設定になっていない場合、制御部２０１は、修正処理を行わずに処理を終了する。すなわち、後述するような検査依頼情報の表示を行わない。
【００５０】
ステップＳ１００２では、制御部２０１は、過去撮影検査表示画面を表示する。
図１１は、過去撮影検査表示画面の一例を示す図である。１１００は、過去撮影検査表示画面である。１１０１は、過去に行った検査を一覧表示する過去検査一覧表示領域である。過去検査一覧表示領域１１０１には、一時的なダミーの撮影情報で撮影し、まだ撮影情報の修正が行われていないものを操作者が識別できるように表示されている。ここでは、修正されていない撮影情報としては、図１１に示す過去検査一覧表示領域１１０１のＴｒａｕｍａ列にＹｅｓを表示している撮影情報である。
【００５１】
１１０２は、過去検査一覧表示領域１１０１に表示された撮影情報のうち、選択された撮影情報に対応する画像データを一覧表示する撮影一覧表示領域である。
操作者が、一時的なダミーの撮影情報を選択してダブルクリック等で決定することにより、検査依頼情報取得部２０２は、検索条件を生成し、その検索条件に合致する過去の検査依頼情報を取得する。制御部２０１は、図６に示すように、取得した検査依頼情報の一覧を検査依頼情報表示領域６０３に表示する。そして、第１の実施形態で説明したように、患者情報修正部２０４は、操作者により選択された検査依頼情報に基づいて、一時的なダミーの撮影情報を正しい撮影情報に修正する。
このように、本実施形態によれば、一時的なダミーの撮影情報を修正する場合に、過去の検査依頼情報に基づいて修正することで、施設の状況に応じたワークフローを実現することができる。
【００５２】
上述した本発明の実施形態における撮影情報処理装置を構成する各手段、並びに撮影情報処理方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
また、本発明は、例えば、システム、装置、方法、プログラムもしくは記録媒体等としての実施形態も可能であり、具体的には、一つの機器からなる装置に適用してもよい。
【００５３】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００５４】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００５５】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００５６】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【符号の説明】
【００５７】
１０      撮影情報処理システム
２０      撮影情報処理装置
３０      放射線発生装置
１００    放射線情報システム
１０１    情報処理部
１０２    センサ部
１０３    エックス線発生部
１０４    表示部
１０５    入力部
１０６    医用画像管理システム
２００    撮影情報入力部
２０１    制御部
２０２    検査依頼情報取得部
２０３    画像取得部
２０４    患者情報修正部
２０５    出力制御部
２０６    画像保存部
【図１】
2010257210.tif 000003
【図２】
2010257210.tif 000004
【図３】
2010257210.tif 000005
【図４】
2010257210.tif 000006
【図５】
2010257210.tif 000007
【図６】
2010257210.tif 000008
【図７】
2010257210.tif 000009
【図８】
2010257210.tif 000010
【図９】
2010257210.tif 000011
【図１０】
2010257210.tif 000012
【図１１】
2010257210.tif 000013